(57)【特許請求の範囲】
【請求項１】
吸気風路に設けられ側部にレール部が形成されたフィルタ枠と、前記レール部を摺動する可動枠片と、一端が前記可動枠片に固定され、他端が前記フィルタ枠に固定された伸縮可能な空気清浄フィルタと、モータによって駆動されるネジ状のシャフトと、前記可動枠片が固定されると共に前記シャフトにネジ結合され、前記モータの回転駆動によって前記レール部方向に移動する駆動片とを備えたことを特徴とする空気調和機の空気清浄機能付室内ユニット。
【請求項２】
前記空気清浄フィルタは、蛇腹状フィルタであることを特徴とする請求項１記載の空気調和機の空気清浄機能付室内ユニット。
【請求項３】
前記空気清浄フィルタは、引き出し及び巻取りによって伸縮されるロール状フィルタであることを特徴とする請求項１記載の空気調和機の空気清浄機能付室内ユニット。
【請求項４】
運転モードに応じて前記空気清浄フィルタの伸縮度を制御するフィルタ制御手段を備えたことを特徴とする請求項１記載の空気調和機の空気清浄機能付室内ユニット。
【請求項５】
空調負荷に応じて前記空気清浄フィルタの伸縮度を制御するフィルタ制御手段を備えたことを特徴とする請求項１又は４記載の空気調和機の空気清浄機能付室内ユニット。
【請求項６】
前記空気清浄フィルタの目詰まりを検出する目詰まり検出手段と、この目詰まり検出手段からの検出結果に基づいて前記空気清浄フィルタの伸縮度を制御するフィルタ制御手段とを備えたことを特徴とする請求項１又は４又は５記載の空気調和機の空気清浄機能付室内ユニット。
【請求項７】
空気中の埃量を検出する埃検出手段と、この埃検出手段からの検出結果に基づいて前記空気清浄フィルタの伸縮度を制御するフィルタ制御手段とを備えたことを特徴とする請求項請求項１又は４又は５記載の空気調和機の空気清浄機能付室内ユニット。
【請求項８】
前記シャフトは前記各レール部近傍にそれぞれ配置されたことを特徴とする請求項１記載の空気調和機の空気清浄機能付室内ユニット。
【請求項９】
前記シャフトの両端にギアを有すシャフトギアを前記駆動片内部左右へ各々設け、このシャフトギアのギア部分が噛み合う各々のラックを意匠パネルに設けたことを特徴とする請求項１記載の空気調和機の空気清浄機能付室内ユニット。
【請求項１０】
前記可動枠片と前記駆動片とに引っかかり形状を有し着脱可能にしたことを特徴とする請求項１記載の空気調和機の空気清浄機能付室内ユニット。
【請求項１１】
前記ネジ状シャフトのシャフト部分を前記駆動片にて両側から挟み込む形状としたことを特徴とする請求項１記載の空気調和機の空気清浄機能付室内ユニット。
【請求項１２】
前記フィルタ枠に別用途のフィルタ枠も設けたことを特徴とする請求項１記載の空気調和機の空気清浄機能付室内ユニット。
【請求項１３】
前記駆動片の駆動により、前記駆動片の両端に設けたフック形状の引っかけ部と前記フィルタ枠に設けたレール形状の引っかけ部が、互いに引っかかる構造となっていることを特徴とする請求項１記載の空気調和機の空気清浄機能付室内ユニット。
【請求項１４】
前記ネジ状シャフトを覆う様にシャフトカバーを設けたことを特徴とする請求項１記載の空気調和機の空気清浄機能付室内ユニット。
【請求項１５】
前記意匠パネル裏側に前記ネジ状シャフトを設けたことを特徴とする請求項１記載の空気調和機の空気清浄機能付室内ユニット。
【請求項１６】
前記駆動片の駆動時下限と前記意匠パネルとの間に隙間を設けたことを特徴とする請求項１記載の空気調和機の空気清浄機能付室内ユニット。
【発明の詳細な説明】
【０００１】
【発明の属する技術分野】
この発明は、空気清浄フィルタを備えた空気調和機の室内ユニットに関するものである。
【０００２】
【従来の技術】
図１６は例えば特開平４−２６０４０９号公報に示された従来の空気清浄用フィルタユニットを示す側断面図である。図において、１０１は除湿機本体で、この除湿機本体１０１の正面側には吸入口１０２が設けられ、背面上部には吹出口１０３が設けられている。吹出口１０３の下方にはファン１０４が配置され、吸入口１０２から吹出口１０３への空気流を生じさせる。このファン１０４と吸入口１０２との間にフィルタユニット１０５、蒸発器１０６、凝縮器１０７が配置されている。フィルタユニット１０５は後述するように開閉自在なフィルタを備えている。
【０００３】
図１７はフィルタの平断面図で、（Ａ）はフィルタ閉時の状態を、（Ｂ）は開時の状態をそれぞれ示している。図において、１５３はフィルタで、縦長の個別フィルタが蛇腹状に連ねられて構成されている。
上記のように構成されたフィルタ１５３は、左端部を押さえ板１５４ａに固定され、右端部を押さえ板１５４ｂに取り付けられている。右端部の押さえ板１５４ｂはフレーム１５１内に固定され、また、左端部の押さえ板１５４ａは左右方向に移動可能で、フィルタ１５３の開閉ができるようになっている。
【０００４】
フィルタ１５３の開閉はベルト１５５、ローラ１５６ａ、１５６ｂ、モータ１５７によって行われる。ベルト１５５は両端が押さえ板１５４ａに固定されており、ベルト１５５が回転すると押さえ板１５４ａが開閉される。
このようにフィルタ１５３が開閉されることによって、空気清浄用のフィルタが不要なときには容易にフィルタを開いて空気調和処理（除湿）を行なうことができる。
この結果、空気の流れを向上させることができ、不必要に風量が減少して空気調和処理を低下させてしまうのを防止することができる。
【０００５】
【発明が解決しようとする課題】
従来の空気清浄用フィルタユニットは以上のように構成されているので、空気清浄用フィルタが必要な場合はフィルタを閉じて使用することに限られていた。このため、塵埃が蓄積すると、空調能力の低下を招くという課題があった。
【０００６】
また、フィルタ面積を大きくして空気清浄能力を上げようとすると、フィルタの通風抵抗による吸込圧損の増大を招き送風音が増大するとともに、風量が減少することによる冷暖房能力の低下するという課題があった。そのため、空気清浄能力が不十分になりがちであった。
【０００７】
また、冷房、暖房、除湿等の運転モードによって風量や運転パターンに特徴があり、どの運転モードに対しても一律同じフィルタを採用することは、必ずしも有効な使い方でないという課題があった。
【０００８】
この発明は、上記のような課題を解消するためになされたもので、空気調和機の運転時の状況に応じて空気清浄フィルタの状態を変えられる空気調和機の空気清浄機能付室内ユニットを得ることを目的とする。
【０００９】
【課題を解決するための手段】
この発明に係る空気調和機の空気清浄機能付室内ユニットは、吸気風路に設けられ側部にレール部が形成されたフィルタ枠と、レール部を摺動する可動枠片と、一端が可動枠片に固定され、他端がフィルタ枠に固定された伸縮可能な空気清浄フィルタと、モータによって駆動されるネジ状のシャフトと、可動枠片が固定されると共にシャフトにネジ結合され、モータの回転駆動によってレール部方向に移動する駆動片とを備えたことを特徴とする。
【００１０】
また、この発明に係る空気調和機の空気清浄機能付室内ユニットは、空気清浄フィルタは、蛇腹状フィルタであることを特徴とする。
【００１１】
また、この発明に係る空気調和機の空気清浄機能付室内ユニットは、空気清浄フィルタは、引き出し及び巻取りによって伸縮されるロール状フィルタであることを特徴とする。
【００１２】
また、この発明に係る空気調和機の空気清浄機能付室内ユニットは、運転モードに応じて空気清浄フィルタの伸縮度を制御するフィルタ制御手段を備えたことを特徴とする。
【００１３】
また、この発明に係る空気調和機の空気清浄機能付室内ユニットは、空調負荷に応じて空気清浄フィルタの伸縮度を制御するフィルタ制御手段を備えたことを特徴とする。
【００１４】
また、この発明に係る空気調和機の空気清浄機能付室内ユニットは、空気清浄フィルタの目詰まりを検出する目詰まり検出手段と、この目詰まり検出手段からの検出結果に基づいて前記空気清浄フィルタの伸縮度を制御するフィルタ制御手段とを備えたことを特徴とする。
【００１５】
また、この発明に係る空気調和機の空気清浄機能付室内ユニットは、空気中の埃量を検出する埃検出手段と、この埃検出手段からの検出結果に基づいて空気清浄フィルタの伸縮度を制御するフィルタ制御手段とを備えたことを特徴とする。
【００１６】
また、この発明に係る空気調和機の空気清浄機能付室内ユニットは、シャフトは各レール部近傍にそれぞれ配置されたことを特徴とする。
【００１７】
また、この発明に係る空気調和機の空気清浄機能付室内ユニットは、シャフトの両端にギアを有すシャフトギアを駆動片内部左右へ各々設け、このシャフトギアのギア部分が噛み合う各々のラックを意匠パネルに設けたことを特徴とする。
【００１８】
また、この発明に係る空気調和機の空気清浄機能付室内ユニットは、可動枠片と駆動片とに引っかかり形状を有し着脱可能にしたことを特徴とする。
【００１９】
また、この発明に係る空気調和機の空気清浄機能付室内ユニットは、ネジ状シャフトのシャフト部分を駆動片にて両側から挟み込む形状としたことを特徴とする。
【００２０】
また、この発明に係る空気調和機の空気清浄機能付室内ユニットは、フィルタ枠に別用途のフィルタ枠も設けたことを特徴とする。
【００２１】
また、この発明に係る空気調和機の空気清浄機能付室内ユニットは、駆動片の駆動により、駆動片の両端に設けたフック形状の引っかけ部とフィルタ枠に設けたレール形状の引っかけ部が、互いに引っかかる構造となっていることを特徴とする。
【００２２】
また、この発明に係る空気調和機の空気清浄機能付室内ユニットは、ネジ状シャフトを覆う様にシャフトカバーを設けたことを特徴とする。
【００２３】
また、この発明に係る空気調和機の空気清浄機能付室内ユニットは、意匠パネル裏側にネジ状シャフトを設けたことを特徴とする。
【００２４】
また、この発明に係る空気調和機の空気清浄機能付室内ユニットは、駆動片の駆動時下限と意匠パネルとの間に隙間を設けたことを特徴とする。
【００２５】
【発明の実施の形態】
実施の形態１．
以下、この発明の実施の形態を図について説明する。図１はこの発明における空気調和機の空気清浄機能付室内ユニットを示す側断面図である。図１において、１は壁掛式の室内ユニット本体で、前面及び上面に吸込口１ａが、下部に吹出口１ｂが形成されている。尚、前面の吸込口１ａは更に格子状の前面パネルで覆われている。２は室内ユニット本体１内の吸込口１ａに対向する位置に配置された熱交換器で、図示しない室外ユニットとの間で冷凍サイクルを構成する。
【００２６】
３は熱交換器２と吹出口１ｂとの間の風路に配置された送風機で、クロスフローファンより成る。これらの構成は従来の空気調和機の室内ユニットと同様な構成である。４は前面パネルと熱交換器２との間の風路上となる前面の吸込口１ａに配置された伸縮式の静電フィルタ（空気清浄フィルタ）で、その詳細な機構を図２に示す。
【００２７】
図２は図１における空気調和機の空気清浄機能付室内ユニットの部分斜視図である。図２において、５は前面の吸込口１ａの直前にて室内ユニット本体１に取着されたフィルタ枠で、左右に独立して２個配置され、それぞれの左右側枠にはレール部が形成されている。６は左右のレール部をガイドとして上下方向に摺動可能な可動枠片で、静電フィルタ４は上下方向に伸縮可能な蛇腹状に形成されて、その上端部がフィルタ枠５の上枠に固定されるとともに下端部が可動枠片６に固定される。
【００２８】
７は前面の吸込口１ａ中央下部に配置されたモータで、図示しない室内ユニット本体１のスイッチ又はリモコンスイッチによってＯＮ／ＯＦＦ可能になっている。８はモータ７のモータシャフトに結合され、モータ軸の回転によって共に回転するネジ形状のシャフトで、前面の吸込口１ａの中央を吸込口の格子に沿って上下方向に配設されている。９はシャフト８にネジ結合され、モータ７の回転駆動によるシャフトの回転によって上下方向に移動する駆動片で、シャフト８を中心に左右方向に延設されることにより左右の可動枠片６双方が固定される。
【００２９】
次に動作について説明する。冷房、暖房、除湿等の空調運転時に、静電フィルタ４による空気清浄を必要とする場合、モータ７を駆動して駆動片９を下方へ移動させると、これに連動して左右のフィルタ枠の各可動枠片６がレール部に沿って共に下方へ摺動する。この結果、図１に示すように、静電フィルタ４が前面の吸込口１ａを覆うように配設される。このとき、蛇腹状の静電フィルタ４が波状を維持する程度の長さであれば、従来の平板状の静電フィルタよりも通過面積が大きく確保できるので、より空気清浄能力を高めることができる。
【００３０】
また、冷房能力や暖房能力等を大きく得たい場合や、静電フィルタ４が目詰まりした場合等、静電フィルタ４を用いない空調運転を行ないたい場合には、モータ７を駆動して駆動片９を上方へ移動させると、これに連動して左右のフィルタ枠の各可動枠片６がレール部に沿って共に上方へ摺動する。この結果、図３に示すように、静電フィルタ４が収納されるので、風路上における静電フィルタ４の投影面積が減少する。これによって静電フィルタ４による吸込み圧損の増大が解消され、風量を確保により空調能力を向上させたり、送風音の低減を図ることができる。
【００３１】
さらに、図２に示すように駆動片９はシャフト８にネジ結合されることから、上下方向の任意の位置に停止させることが可能である。このため、静電フィルタ４を用いた空調運転を行なう場合でも、静電フィルタ４に若干の塵埃が溜まった時などは、静電フィルタ４の伸縮度合を適度に調節することにより、風量を調節確保しながら空気清浄も行なうことができる。
【００３２】
また、冷房運転、暖房運転、除湿運転など、運転モードに応じて風量が異なることから、例えば風量の少ない除湿運転時には静電フィルタ４で完全に吸込口１ａを覆い、風量の大きい冷・暖房運転時には静電フィルタ４を若干収納し、静電フィルタ４の風路上の投影面積を小さくして、それぞれの運転モードに見合った風量を確保することができる。
【００３３】
また、同じ運転モードであっても、例えば冷・暖房運転の立上時など風量の大きな運転がなされる間は静電フィルタ４を若干或は完全に収納することにより静電フィルタ４の風路上の投影面積を小さくして風量を確保し、室内温度が設定温度に近づき、風量が小さく安定してきた頃に吸込口１ａを覆うように静電フィルタ４を伸長させることもできる。
【００３４】
このように、本発明では空気清浄と風量・騒音とのバランスに応じて空気清浄フィルタの風路上の投影面積を可変させて調節することが可能になる。
尚、本実施の形態では、駆動片９をモータ７により駆動していたが、例えばモータなしで、シャフト８を回転可能にするつまみを室内ユニット本体１の外部に突出させ、このつまみを手動で操作することにより静電フィルタ４を伸縮可能にする構成としてもよい。
【００３５】
実施の形態２．
図４は風路に占める空気清浄フィルタのフィルタ面積比と集塵能力比との関係を示す相関図、図５は空気清浄フィルタの目詰まり圧力損失の大小と送風音、冷暖房能力との関係を示す相関図である。図４に示すように、空気清浄フィルタはその用途からも明らかなように風路上を占める面積が大きくなればなるほど集塵能力は比例して大きくなる。
【００３６】
図５に示すように空気清浄フィルタの目詰まりにより圧力損失が増大すると、送風音はあるところから急激に大きくなり、フィルタの目詰まりが騒音の原因となることがわかる。また、空気清浄フィルタの目詰まりにより圧力損失が増大すると、風量低下により冷暖房能力は低下する。
【００３７】
図６はこの発明における他の空気調和機の空気清浄機能付室内ユニットを示す側断面図である。図６において、１０はフィルタ枠５に取着された目詰まりセンサで、目詰まり検出手段に相当する。その他図１に記載された構成に相当する構成は同一符号を付してその説明を省略する。図７は図６の空気調和機の空気清浄機能付室内ユニットに内蔵された制御装置の主要部の構成を示すブロック図である。図７において、１１は空気調和機のＯＮ／ＯＦＦ、運転モード、設定温度、風量、風向等を遠隔操作するためのリモコン、１２は目詰まりセンサ１０の検出結果及びリモコン１１からの操作信号に基づいてモータ７を駆動制御する制御手段である。
【００３８】
次に動作について説明する。リモコン１１から例えば冷房運転モードの空調運転の要求があり、その操作信号が制御手段１２に入力されると、制御装置は室内温度、設定温度等に基づいて圧縮機の運転周波数や送風機３の回転数を決定し、適宜制御する。一方、制御手段１２は送風機３が発生する風量を等価に示す送風機の回転数と図４及び図５の理論に基づいて、冷房能力を十分確保したい立上時には風量が大きいことから、モータ７を駆動して駆動片９、可動枠片６を上方へ移動させ、静電フィルタ４を短縮させる。
【００３９】
この結果、静電フィルタ４が風路上に占める投影面積は小さくなり、図４に示すように集塵能力は低下するものの、図５に示すようにフィルタの圧力損失は低下するので、高い冷房能力が確保できる。
【００４０】
そして、室内温度が設定温度に近づき、徐々に圧縮機の回転周波数、送風機３の回転数が低下してくると、制御手段１２は回転数の低下に応じてモータ７を適宜駆動して駆動片９、可動枠片６を下方へ移動させ、静電フィルタ４を伸長させる。
この結果、静電フィルタ４が風路上に占める投影面積は大きくなり、図４に示すように集塵能力は向上する。また図５に示すようにフィルタの圧力損失は増大するが風量が小さいためそれほど影響はなく、十分な冷房能力も確保できる。
【００４１】
同様の制御は暖房運転、除湿運転等の運転モードにおいても行われる。このように風量の変化に対し、制御手段１２は適宜見合ったフィルタ面積となるよう制御する。
また、例えば除湿運転モードでは通常室内の湿度が高く、塵埃が水分を含んで静電フィルタに付着すると抵抗となり易い一方、室内を浮遊する塵埃の量は少なくなる傾向にあることから、同一の風量であっても他の冷・暖房運転モードの場合に比べて静電フィルタ４の投影面積が小さくなるように制御手段１２が制御する。
【００４２】
このように本実施の形態では、制御手段１２が運転モードや風量に応じてフィルタの伸縮度合を適宜調節する。従って、昨今の複雑且つ細かな空調制御に対して、使用者がいちいちフィルタの面積を調節しなくても、快適な空調環境を素早く得ることが可能になる。
【００４３】
実施の形態３．
図８は空気清浄フィルタの目詰まり量とフィルタ面積との関係を示す相関図である。図８よりフィルタ目詰まり量が小さいうちは、図５に示すように送風音は小さく、空調能力は高いので、フィルタの投影面積を大きくしても問題はなく、フィルタが目詰まりするにつれて送風音の低減、空調能力の確保を図るためにフィルタの投影面積を小さくしていくことが望ましい。そこで、本実施の形態では、実施の形態２の制御に、更に上記図８に示す塵埃の堆積による目詰まりを考慮するようになっている。
【００４４】
即ち、図６、図７に示す目詰まりセンサ１０によって静電フィルタ４に堆積する塵埃を検出する。制御手段１２は、目詰まりセンサ１０の検出結果に基づき、実施の形態２における制御にさらに図８に基づく静電フィルタの伸縮度合の補正を加える。
具体的には、同一の運転モード、風量に基づいて決定される静電フィルタ４の伸縮度合に対し、さらに目詰まりセンサ１０によって検出された埃の堆積量が少ないと判断された場合には静電フィルタ４の伸縮度合に補正は加えず、堆積量が多いと判断された場合には静電フィルタ４を更に若干短縮させて、風量をより確保するように制御手段１２が制御を行なう。
【００４５】
目詰まりセンサ１０によって行われる制御は、塵埃の堆積量が少ない場合に静電フィルタ４が伸長するよう補正を行なってもよい。また、補正の度合は段階的でも無段階でもよく、埃の堆積量を基準値と比較して補正を行なうか行なわないかを決定してもよい。
また、目詰まりセンサ１０は周知の様々なものを用いることができるが、差圧センサ等を用い、フィルタ前後の圧力差を測定するものであってもよい。
【００４６】
実施の形態４．
上記実施の形態３では、静電フィルタ４への埃の堆積量を直接的或は間接的に検出するものであった。
これとは別に室内の空気中を浮遊する埃量を検出する埃検出手段を備え、この埃検出手段の検出結果に基づいて空気清浄フィルタの伸縮度合を制御することも可能である。図７において、１３は埃検出手段である埃センサで、室内ユニット本体１の適宜の箇所に装着され、室内空間の浮遊埃量を検出する。
【００４７】
制御手段１２は、埃センサ１３の検出結果に基づき、実施の形態２における制御にさらに空気中の埃量に応じた静電フィルタの伸縮度合の補正を加える。
具体的には、同一の運転モード、風量に基づいて決定される静電フィルタ４の伸縮度合に対し、さらに埃センサ１３によって検出された空気中の埃の浮遊量が少ないと判断された場合には静電フィルタ４の伸縮度合に補正は加えず、堆積量が多いと判断された場合には静電フィルタ４を更に若干伸長させて、集塵能力をより確保するように制御手段１２が制御を行なう。
【００４８】
埃センサ１３によって行われる制御は、塵埃の浮遊量が少ない場合に静電フィルタ４が短縮するよう補正を行なってもよい。また、補正の度合は段階的でも無段階でもよく、埃の浮遊量を基準値と比較して補正を行なうか行なわないかを決定してもよい。
このような制御により、室内の実際の埃量に応じて空気清浄能力を可変できるから、埃量が少ないときには風量を確保して高い空調性能を得ることが可能になると共に静かな空調運転が可能になる。
【００４９】
尚、上記各実施の形態では蛇腹状に形成された静電フィルタの例を示したが、例えばロール状のフィルタとしてもよい。この場合、前面の吸込口１ａの上方に巻き上げ式の静電フィルタがロール状に配置固定され、フィルタの先端を可動枠片に固定することで、あとは図１と同様な機構で実現することができる。
蛇腹状の静電フィルタの場合、フィルタの表面積を大きく確保することができ、フィルタ短縮時でもある程度の集塵能力が確保できる。
ロール状の静電フィルタの場合、引き出されたフィルタは平板状のため、前面パネルと熱交換器との間の距離を小さくすることができ、室内ユニットの奥行方向を小さくすることができる。
【００５０】
また、上記各実施の形態では、蛇腹状の静電フィルタは伸縮によって一様に折れ曲がったり広がったりするものを前提にしていたが、各襞を折れ曲がり方向に付勢しやすく加工したり、或はそのような材質のものを用いることにより、駆動片９の上下同に対し、フィルタ伸長時は可動片枠６側の襞から順次引っ張り力によって広がり初め、短縮時はフィルタ枠５上側の固定側から順次付勢力或は復元力によって折り畳まれる構成とすることもできる。
【００５１】
この場合、静電フィルタ４の伸縮によって、フィルタの表面積そのものを変更することができ、圧損の低減に有効である。また、折り畳まれたフィルタの収納部を吸気口外に設ければ、前面パネルと熱交換器２との間の距離をロール状の場合と同様に小さくすることができ、室内ユニットの奥行方向を小さくすることができる。
【００５２】
また、上記各実施の形態では、シャフト８を前面の吸込口１ａの中央に設け、駆動片９を介して左右の可動枠片６を同時に移動させるものであったが、シャフトを各フィルタ枠５の左右側枠（レール部）にそれぞれ設け、各シャフトとモータシャフトとをベルトとプーリとで接続して駆動する構造でもよい。この場合、シャフトがレール部近傍にそれぞれ設けられることにより駆動片、可動片枠の移動時にガタつくことを防止でき、よりスムーズなフィルタの伸縮が実現できる。その場合、中央のシャフトは１本とし、右側フィルタの左側、左側フィルタの右側のシャフトを兼用しても、この部分は近接しているので支障はない。
【００５３】
実施の形態５．
図９は、上記各実施の形態の駆動片９内部へシャフトの両端にギア２０ａを有するシャフトギア２０を設けたもので、左右の駆動片９駆動時にこのシャフトギア２０が内部で各々転がり、シャフトギア２０のギア２０ａが意匠パネル２１に設けた各々ラック２１ａを転がる構成とする。この場合シャフトギア２０のギア２０ａは駆動片９の端部近傍に配置する。
【００５４】
次に動作について説明する。駆動片９が上下にスライドする際、駆動片９内部に設けられているシャフトギア２０が駆動片９に押され回転する。この回転がシャフトギア２０両端に有すギア２０ａの回転となり、左右両端ギア２０ａは同形状のため、左右２ヶ所同形状の２１ａラックの上を転がる際の速度、回転距離ともに同じとなる。結果的に駆動片９全体を傾きなくスムーズに駆動させる効果をえることが可能となるものである。
【００５５】
実施の形態６．
図１０は、上記各実施の形態の可動枠片６と駆動片９で、互いの部品が着脱可能なツメ６ａ形状などを構成することにより、フィルタ枠５と可動片６に取り付けた静電フィルタ４が、可動枠片６と駆動片９のツメ６ａ部を外すことにより容易に着脱可能ができる様にしたものである。
【００５６】
次に動作について説明する。ツメ６ａは駆動片９に設けた凹部へ掛かる形状を有しており、駆動片９の上方向への駆動により引っかかり、固定され駆動片９の動きに連動するものである。可動片６含め静電フィルタ４などをサービスで外し、再度取り付けた際にツメ６ａが駆動片９にかからなくても駆動片９を上方向へ駆動させる事によりツメ６ａは駆動片９に引っかかり固定され可動片６と一体の静電フィルタ４を伸縮させるもので、確実な可動片６含め静電フィルタ４の伸縮動作を得られるものである。
【００５７】
実施の形態７．
図１１は、上記各実施の形態のネジ状シャフト８にネジ２６で具備し駆動する駆動片９をネジ状シャフト８を挟み込む形状としたものである。ネジ状シャフト８の回転はネジ状シャフト８の螺旋状の突起により、駆動片９の突起とかみ合い駆動片９を駆動させる。その際、駆動片９は上下方向にネジ状シャフト８を挟みこんでいるため、ネジ状シャフト９の回転時の駆動片９との摩擦などによるネジ状シャフト８の変形などを防ぐ効果が得られ、確実な回転力の伝達を可能としたものである。
【００５８】
実施の形態８．
図１２は、上記各実施の形態のフィルタ枠５で、別用途のフィルタ２２用のフィルタ枠２４を形成させる構成としたもので、フィルタ枠５以外に追加する形でフィルタ枠２４を設けると、その分部品点数は増え複雑な構成となりコストアップにもつながるもので、それらを無くすために２種類のフィルタを１ヶの枠で形成させ、部品を削減しコストダウン可能にしたものである。
【００５９】
実施の形態９．
図１０で、上記各実施の形態の駆動片９両端に設けたフック形状の引っかけ部９ａを有し、駆動時にフィルタ枠５両端のレール形状の引っかけ部５ａに掛かる構成としたものである。つまり駆動片９駆動により静電フィルタ４を伸縮させている場合は、フィルタ枠５などが外れないようにしたものである。フィルタ枠５及びフィルタ枠５に固定の静電フィルタ４などが外れることにより駆動時の駆動片９に作業者が直接触れ、怪我をするなどの安全上のトラブルを防止する効果が得られるものである。
【００６０】
実施の形態１０．
図１３は、上記各実施の形態のネジ状シャフト８を、覆うようにシャフトカバー２３を設けたもので、意匠パネル２１へ固定され、室内ユニット運転時の空気内の埃の吸い込みによるネジ状シャフト８への埃の付着を防止するものである。
【００６１】
また、シャフトカバー２３両側面へ切り欠きを設けることにより、駆動片９が切り欠き範囲内で駆動可能とすることができる。その際、吸い込みによるシャフトカバー２３への埃の付着はシャフトカバー２３前面で防止できるものである。
【００６２】
実施の形態１１．
図１４は、上記各実施の形態のネジ状シャフト８で、意匠パネル２１の裏側へ配置させたものである。ユニット運転時に吸い込まれる空気に混じった埃が直接ネジ状シャフト８へ当たらない様にしたもので、埃の付着を防止するものである。
【００６３】
また、ネジ状シャフト８を覆うように意匠パネル２１へ逆Ｕ字形で形成した場合、逆Ｕ字形の側面へ切り欠きを設け、その切り欠き内を駆動片９が駆動することが可能で、この際の吸い込みによる埃の付着は逆Ｕ字形の前面により防止できるものである。
【００６４】
実施の形態１２．
図１５は、上記各実施の形態の駆動片９で、駆動時下限の場合に意匠パネル２１と隙間２５を設ける構成としたものである。駆動片９はネジ状シャフト８の回転が駆動片９の突起に伝わり上下に駆動するが、下方向に駆動した場合、駆動片９裏側に突形状などを設け、その突形状が意匠パネル２１に当たり前面側で駆動片９と意匠パネル２１には一定の隙間２５を設けられる様にしたものである。そのため、作業者の指などが挟まらないようにすることができ、作業性を高めることを可能にしたものである。
【００６５】
【発明の効果】
この発明に係る空気調和機の空気清浄機能付室内ユニットは、吸気風路に設けられ側部にレール部が形成されたフィルタ枠と、レール部を摺動する可動枠片と、一端が可動枠片に固定され、他端がフィルタ枠に固定された伸縮可能な空気清浄フィルタと、モータによって駆動されるネジ状のシャフトと、可動枠片が固定されると共にシャフトにネジ結合され、モータの回転駆動によってレール部方向に移動する駆動片とを備えたことにより、空気調和機の運転時の状況に応じて空気清浄フィルタの状態を調節することができ、快適な空調環境が実現できる効果が得られる。
【００６６】
また、この発明に係る空気調和機の空気清浄機能付室内ユニットは、空気清浄フィルタを、蛇腹状フィルタとしたので、フィルタの表面積を大きく確保することができ、フィルタ短縮時でも集塵能力を高く維持できる効果が得られる。
【００６７】
また、この発明に係る空気調和機の空気清浄機能付室内ユニットは、空気清浄フィルタを、引き出し及び巻取りによって伸縮されるロール状フィルタとしたので、引き出されたフィルタは平板状のため、前面パネルと熱交換器との間の距離を小さくすることができ、室内ユニットの奥行方向を小さくすることができる効果が得られる。
【００６８】
また、この発明に係る空気調和機の空気清浄機能付室内ユニットは、運転モードに応じて前記空気清浄フィルタの伸縮度を制御するフィルタ制御手段を備えたので、集塵能力の確保と空調能力の確保とのバランスを各運転モードの特性に応じて調節できる効果が得られる。
【００６９】
また、この発明に係る空気調和機の空気清浄機能付室内ユニットは、空調負荷に応じて前記空気清浄フィルタの伸縮度を制御するフィルタ制御手段を備えたので、集塵能力の確保と空調能力の確保とのバランスを風量に応じて調節できる効果が得られる。
【００７０】
また、この発明に係る空気調和機の空気清浄機能付室内ユニットは、空気清浄フィルタの目詰まりを検出する目詰まりセンサと、この目詰まりセンサからの検出結果に基づいて空気清浄フィルタの伸縮度を制御するフィルタ制御手段とを備えたので、空気清浄フィルタへの塵埃の堆積によって変化する圧力損失に応じて風量を調節できる効果が得られる。
【００７１】
また、この発明に係る空気調和機の空気清浄機能付室内ユニットは、空気中の埃量を検出する埃検出手段と、この埃検出手段からの検出結果に基づいて空気清浄フィルタの伸縮度を制御するフィルタ制御手段とを備えたので、室内の環境に応じて空気清浄能力を調節できる効果が得られる。
【００７２】
また、この発明に係る空気調和機の空気清浄機能付室内ユニットは、シャフトを各レール部近傍にそれぞれ配置したので、可動片枠が移動時にガタつくことを防止でき、スムーズなフィルタの伸縮が行なえる効果が得られる。
【００７３】
また、この発明に係る空気調和機の空気清浄機能付室内ユニットは、シャフトの両端にギアを有すシャフトギアを駆動片内部左右へ各々設け、このシャフトギアのギア部分が噛み合う各々のラックを意匠パネルに設けたことにより、傾きなく駆動片を駆動でき、そのため可動片も傾きなくスムーズに駆動できる効果が得られる。
【００７４】
また、この発明に係る空気調和機の空気清浄機能付室内ユニットは、可動枠片と駆動片とに引っかかり形状を有し着脱可能にしたことにより、フィルタ枠と駆動片に固定されたフィルタがセットで容易に着脱できる効果が得られる。
【００７５】
また、この発明に係る空気調和機の空気清浄機能付室内ユニットは、ネジ状シャフトのシャフト部分を駆動片にて両側から挟み込む形状としたことにより、駆動片からのシャフトの外れなどを防止でき、確実な駆動の伝達を得られる効果がある。
【００７６】
また、この発明に係る空気調和機の空気清浄機能付室内ユニットは、フィルタ枠に脱臭用のフィルタ枠も設けたことにより別用途専用のフィルタ枠を設ける必要がなくなり、部品削減によるコストダウンの効果が得られる。
【００７７】
また、この発明に係る空気調和機の空気清浄機能付室内ユニットは、駆動片の駆動により、駆動片の両端に設けたフック形状の引っかけ部とフィルタ枠に設けたレール形状の引っかけ部が互いに引っかかる様にしたことにより、駆動片駆動時のフィルタ枠の落下が防げる効果がある。
【００７８】
また、この発明に係る空気調和機の空気清浄機能付室内ユニットは、ネジ状シャフトを覆う様にシャフトカバーを設けたことにより、ユニットの吸込風によるネジ状シャフトへの埃などの付着を防止できる効果がえられる。
【００７９】
また、この発明に係る空気調和機の空気清浄機能付室内ユニットは、意匠パネル裏側にネジ状シャフトを設けることにより、ユニットの吸込風によるネジ状シャフトへの埃などの付着をを防止できる効果が得られる。
【００８０】
また、この発明に係る空気調和機の空気清浄機能付室内ユニットは、駆動片の駆動時下限と意匠パネルの間に隙間を設けることにより、その隙間より小さなものが挟まることを防止できる効果が得られる。例えば、作業者の手などが挟まらないような作業性向上の効果が得られる。
【図面の簡単な説明】
【図１】  この発明の実施の形態１における空気調和機の空気清浄機能付室内ユニットを示す側断面図である。
【図２】  図１に示す空気調和機の空気清浄機能付室内ユニットの部分斜視図である。
【図３】  空気清浄フィルタ短縮時の状態を示す側断面図である。
【図４】  風路に占める空気清浄フィルタのフィルタ面積比と集塵能力比との関係を示す相関図である。
【図５】  空気清浄フィルタの目詰まり圧力損失の大小と送風音、冷暖房能力との関係を示す相関図である。
【図６】  この発明の実施の形態２及び３における空気調和機の空気清浄機能付室内ユニットを示す側断面図である。
【図７】  図６の空気調和機の空気清浄機能付室内ユニットに内蔵された制御装置の主要部の構成を示すブロック図である。
【図８】  空気清浄フィルタの目詰まり量とフィルタ面積との関係を示す相関図である。
【図９】  この発明の実施の形態５における空気清浄フィルタ構成部品のシャフトギアと駆動片と意匠パネルを示す斜視図である。
【図１０】  この発明の実施の形態６における空気清浄フィルタ構成部品の駆動片と可動片とフィルタ枠とフィルタを示す斜視図である。
【図１１】  この発明の実施の形態７における空気清浄フィルタ構成部品の駆動片とネジ状シャフトの部分拡大斜視図である。
【図１２】  この発明の実施の形態８における空気清浄フィルタ構成部品のフィルタ枠を示す斜視図である。
【図１３】  この発明の実施の形態１０における空気清浄フィルタ構成部品のネジ状シャフトとシャフトカバーと意匠パネルの一部を示す斜視図である。
【図１４】  この発明の実施の形態１１における空気清浄フィルタ構成部品のネジ状シャフトと意匠パネルを示す部分斜視図である。
【図１５】  この発明の実施の形態１２における空気清浄フィルタ構成部品の駆動片と意匠パネルを示す部分断面図である。
【図１６】  従来の空気清浄用フィルタユニットを示す側断面図である。
【図１７】  （Ａ）はフィルタ閉時の状態を、（Ｂ）は開時の状態を示すフィルタの平断面図である。
【符号の説明】
１  室内ユニット本体、１ａ  吸込口、２  熱交換器、３  送風機、４  静電フィルタ、５  フィルタ枠、５ａ  フィルタ枠引っかけ部、６  可動枠片、６ａ  可動片のツメ、７  モータ、８  シャフト、９  駆動片、９ａ  駆動片引っかけ部、１０  目詰まりセンサ、１１  リモコン、１２  制御手段、１３  埃センサ、２０  シャフトギア、２０ａ  シャフトギアのギア、２１  意匠パネル、２１ａ  意匠パネルのラック、２２  別用途のフィルタ、２３  シャフトカバー、２４  別用途のフィルタ枠、２５  駆動片と意匠パネルの隙間、２６  ネジ。
【図１】
0003779081.tif 000002
【図２】
0003779081.tif 000003
【図３】
0003779081.tif 000004
【図４】
0003779081.tif 000005
【図５】
0003779081.tif 000006
【図６】
0003779081.tif 000007
【図７】
0003779081.tif 000008
【図８】
0003779081.tif 000009
【図９】
0003779081.tif 000010
【図１０】
0003779081.tif 000011
【図１１】
0003779081.tif 000012
【図１２】
0003779081.tif 000013
【図１３】
0003779081.tif 000014
【図１４】
0003779081.tif 000015
【図１５】
0003779081.tif 000016
【図１６】
0003779081.tif 000017
【図１７】
0003779081.tif 000018